(57)【特許請求の範囲】
【請求項１】
フロアに敷かれる平坦部と、この平坦部の周縁部の少なくとも一部が前記平坦部から立ち上がって形成された立ち上がり部とを有するフロアマットであって、
このフロアマットの敷設面側に、前記平坦部から前記立ち上がり部に架かる補強用突起を備えており、
前記補強用突起は、前記立ち上がり部上および前記平坦部上に存在しているとともに、前記平坦部上において敷設面側へ突出していることを特徴とするフロアマット。
【請求項２】
前記フロアマットは、熱可塑性エラストマーからなることを特徴とする請求項１に記載のフロアマット。
【請求項３】
前記フロアマットの敷設面とは反対面に、繊維シートを備えることを特徴とする請求項１又は２に記載のフロアマット。
【請求項４】
前記フロアマットの周縁部にオーバーロック加工が施されていることを特徴とする請求項３に記載のフロアマット。
【発明の詳細な説明】
【０００１】
【発明の属する技術分野】
本発明はフロアマット、特に、周縁部における立ち上がり部分が変形しにくい自動車用のフロアマットに関するものである。
【０００２】
【従来の技術】
従来から、自動車内において、靴などに付着した土、砂、泥、或いは砂利などがフロアに付着してフロアが汚れるのを防止するために、フロアマットを敷いている。
【０００３】
このフロアマットは自動車の種類によって異なっており、例えば、最近流行りのＲＶ車においては、周縁部が立ち上がったトレイ状のマット（いわゆるバケットマット）が好適に使用されている。
【０００４】
【発明が解決しようとする課題】
しかしながら、このようなバケットマットにおいては、バケットマットの周縁部における立ち上がり部分、特に直線部分が変形しやすいという問題点があった。特に、バケットマットが軽量化及びリサイクル性に優れているように、熱可塑性エラストマーから形成されている場合には、前記立ち上がり部分が変形しやすいものであった。さらに、夏場において自動車内の気温が上昇すると、立ち上がり部分が一層変形しやすいという問題点があった。
【０００５】
そこで本発明は、このような従来の問題点を解決するためになされたもので、周縁部における立ち上がり部分が変形しにくいフロアマットを提供することを目的とする。
【０００６】
【課題を解決するための手段】
本発明の請求項１に係る発明は、フロアに敷かれる平坦部と、この平坦部の周縁部の少なくとも一部が前記平坦部から立ち上がって形成された立ち上がり部とを有するフロアマットであって、このフロアマットの敷設面側に、前記平坦部から前記立ち上がり部に架かる補強用突起を備えており、前記立ち上がり部上および前記平坦部上に存在しているとともに、前記平坦部上において敷設面側へ突出していることを特徴とするフロアマットである。
【０００７】
請求項２に係る発明は、フロアマットが熱可塑性エラストマーからなることを特徴とする。
【０００８】
請求項３に係る発明は、フロアマットの敷設面とは反対面に、繊維シートを備えることを特徴とする。
【０００９】
請求項４に係る発明は、フロアマットの周縁部にオーバーロック加工が施されていることを特徴とする。
【００１０】
請求項１の発明によれば、フロアマットの平坦部から立ち上がり部に架けて補強用突起を備えているので、この補強用突起によって立ち上がり部の変形を抑制することができる。
【００１１】
請求項２の発明によれば、フロアマットが熱可塑性エラストマーからなるので、軽量かつリサイクル性に優れたフロアマットが得られる。
【００１２】
請求項３の発明によれば、フロアマットの敷設面とは反対面に、繊維シートを備えているので、装飾性に優れたフロアマットが得られる。
【００１３】
請求項４の発明によれば、フロアマットの周縁部にオーバーロック加工が施されているので、繊維シートが剥離しにくく、装飾性を損なわないフロアマットが得られる。
【００１４】
【発明の実施の形態】
図１は本発明の一実施形態によるフロアマットを敷設面側から示す平面図、図２は図１のフロアマットを敷設面の反対面から示す平面図、図３は図１のフロアマットを敷設面側から示す斜視図、図４は図１のフロアマットを敷設面側から示す部分拡大斜視図、図５はフロアマットの立ち上がり部を示す部分拡大断面図、図６はフロアマットの敷設面側に設けられた補強用突起の概略斜視図、図７はフロアマットの敷設面側に設けられた補強用突起の概略側面図である。
【００１５】
これらの図において、フロアマット１は、自動車等のフロアに敷かれる平坦部２と、フロアの形状に適合するように、この平坦部２の周縁部が立ち上がって形成された立ち上がり部３とを有する。また、フロアマット１の敷設面側には、平坦部２から立ち上がり部３に架けて、立ち上がり部３の変形を防止する補強用突起４が設けられている。さらに、フロアマット１の敷設面とは反対面に、繊維シート５を備えている。このようなフロアマット１は、いわゆるバケットマットとして好適に使用できる。
【００１６】
補強用突起４の大きさとしては、図６に示すように、補強用突起４の高さＡは１〜３．５ｍｍ、補強用突起４の幅Ｂは１〜３．５ｍｍであり、図７に示すように、補強用突起４の敷設面における長さＣは１０〜１５ｍｍ、補強用突起４の敷設面における直線部分３ａから外側の長さＤは２〜７ｍｍ、傾斜角度θは０〜１０゜であるのが好ましい。
【００１７】
この補強用突起４は、フロアマット１の立ち上がり部３の変形抑制効果に加えて、フロアマット１を自動洗浄しやすいように、また周縁部を後述するように、オーバーロック加工する場合（いずれの場合も平面的になった方が好都合）には、ある程度変形した方が好ましいため、上述の大きさに形成するのが好ましい。また、上述のような大きさ、形であることによって、安定して製造することができる。例えば、傾斜角度θがあることによって、金型から補強用突起４が剥離し易くなる。さらに、補強用突起４は、立ち上がり部３の直線部分３ａに存在しているのが好ましい。立ち上がり部３のコーナー部分３ｂは、三方向から支持されていることによって、それだけで補強効果があるためである。
【００１８】
フロアマット１の構成材としては、例えば、熱可塑性樹脂（例えば、ポリ塩化ビニル、エチレン−酢酸ビニル共重合体、ポリエチレンなど）、熱可塑性エラストマー（例えば、スチレン系熱可塑性エラストマー、ポリオレフィン系熱可塑性エラストマー、ポリ塩化ビニル系エラストマーなど）、熱硬化性樹脂（例えば、フェノール樹脂、ポリウレタン、不飽和ポリエステル樹脂など）、或いは天然又は合成ゴム（例えば、スチレン−ブタジエンゴム、ブタジエンゴム、イソプレンゴム、ニトリル−ブタジエンゴムなど）などを挙げることができる。これらの中でも、軽量かつリサイクルし易い熱可塑性エラストマーからなるのが好ましい。また、フロアマット１の構成材の硬度（ショアーＡ硬度）は、５０〜９０程度であるのが好ましく、６５〜７５程度であるのがより好ましい。
【００１９】
フロアマット１は、これらの構成材から従来法により作製することができ、敷設面側の平坦部２には、フロアとの滑りを防止する滑り止め防止用突起２ａを設けることができる。なお、図５及び６に示すように、補強用突起４の高さＡは、滑り止め防止用突起２ａの高さと同じか、それよりも低いのが好ましい。また、補強用突起４から更に突出した突起４ａを設けても良い。この突起４ａは、滑り止め防止用突起２ａとほぼ同じ高さであるか、それよりも高いのが好ましく、これにより、補強用突起４も滑り止めとしての役目も果たす。さらに、この突起４ａを形成するのと同時に空気を抜くことができるため、成形性良くフロアマット１を製造できるという効果も奏する。
【００２０】
繊維シート５としては、例えば、タフテッドカーペット、ニードルパンチカーペット、緞通、フックカーペット、ウィルトンカーペット、アキスミンスターカーペットなどを挙げることができる。フロアマット１の敷設面とは反対面に、繊維シート５を設けることにより、装飾性に優れたフロアマット１が得られる。また、フロアマット１の周縁部１ａにオーバーロック加工が施されているのが好ましく、繊維シート５端部の解れが防止され、繊維シート５がフロアマット１から剥離しにくく、装飾性を損なわないフロアマット１が得られる。
【００２１】
【発明の効果】
以上説明したように、請求項１の発明によれば、フロアマットの平坦部から立ち上がり部に架けて補強用突起を備えているので、この補強用突起によって立ち上がり部の変形を抑制することができるという効果を奏する。
【００２２】
請求項２の発明によれば、フロアマットが熱可塑性エラストマーからなるので、軽量かつリサイクル性に優れたフロアマットが得られるという効果を奏する。
【００２３】
請求項３の発明によれば、フロアマットの敷設面とは反対面に、繊維シートを備えているので、装飾性に優れたフロアマットが得られるという効果を奏する。
【００２４】
請求項４の発明によれば、フロアマットの周縁部にオーバーロック加工が施されているので、繊維シートが剥離しにくく、装飾性を損なわないフロアマットが得られるという効果を奏する。
【図面の簡単な説明】
【図１】本発明に一実施形態によるフロアマットを敷設面側から示す平面図である。
【図２】図１のフロアマットを敷設面の反対面から示す平面図である。
【図３】図１のフロアマットを敷設面側から示す斜視図である。
【図４】図１のフロアマットを敷設面側から示す部分拡大斜視図である。
【図５】フロアマットの立ち上がり部を示す部分拡大断面図である。
【図６】フロアマットの敷設面側に設けられた補強用突起の概略斜視図である。
【図７】フロアマットの敷設面側に設けられた補強用突起の概略側面図である。
【符号の説明】
１…フロアマット、１ａ…周縁部、２…平坦部、２ａ…滑り止め防止用突起、３…立ち上がり部、３ａ…直線部分、３ｂ…コーナー部分、４…補強用突起、４ａ…突起、５…繊維シート。
【図１】
0004704608.tif 000002
【図２】
0004704608.tif 000003
【図３】
0004704608.tif 000004
【図４】
0004704608.tif 000005
【図５】
0004704608.tif 000006
【図６】
0004704608.tif 000007
【図７】
0004704608.tif 000008